(57)【要約】【課題】昇降空間における圧迫感を軽減することができる階段構造を提供することを主たる目的とする。【解決手段】建物の二階部分と三階部分とを連絡する上階階段５２は、直線状に延びる直階段部６１Ｕと直階段部６１Ｕの下側に連なる廻り階段部７１Ｕとを有してなる。廻り階段部７１Ｕには、水平方向に延び且つ複数の踏板７３Ｕのうち少なくとも一段目の踏板７３Ｕを支持する力桁７２Ｕが設けられている。直階段部６１Ｕには、斜め方向に延びる力桁６３Ｕと、力桁６３Ｕに固定され踏板６４Ｕを支持する支持フレーム６６Ｕとが設けられている。直階段部用の力桁６３Ｕは、直階段部６１Ｕにおける最下段に位置する踏板６４Ｕよりも下段側に延設されており、直階段部用の力桁６３Ｕと廻り階段部用の力桁７２Ｕとが廻り階段部用の踏板７３Ｕの下方にて連結されている。【選択図】      図５
2020100984.tif 000002
【特許請求の範囲】
【請求項１】
多層階の建物において、上下に隣り合う上階側及び下階側に設けられた上階側の上階階段と下階側の下階階段とを有し、それら上階階段及び下階階段が上下に重なる位置に配置された連層式の階段に適用される階段構造であって、
前記上階階段は、直線状に延びる直階段部と当該直階段部の下側に連なる廻り階段部とを有してなり、
前記廻り階段部は、水平方向に延び且つ複数の廻り階段部用踏板のうち少なくとも一段目の廻り階段部用踏板を支持する廻り階段部用力桁を有し、
前記直階段部は、
斜め方向に延びる直階段部用力桁と、
前記直階段部用力桁に固定され、直階段部用踏板を支持する踏板支持プレートと
を有し、
前記直階段部用力桁は、前記直階段部における最下段に位置する直階段部用踏板よりも下段側に延設されており、
前記直階段部用力桁と前記廻り階段部用力桁とが連結されていることを特徴とする階段構造。
【請求項２】
前記直階段部用力桁は、当該直階段部用力桁の下端部が前記一段目の廻り階段部用踏板よりも下側に延設されており、前記直階段部用力桁と前記廻り階段部用力桁との連結部分が前記一段目の廻り階段部用踏板よりも下側に位置していることを特徴とする請求項１に記載の階段構造。
【請求項３】
前記踏板支持プレートは直階段用踏板支持プレートであり、
前記廻り階段部は、前記廻り階段部用力桁に固定され、前記複数の廻り階段部用踏板のうち一段目の廻り階段部用踏板以外の廻り階段部用踏板を支持する廻り階段部用踏板支持プレートを有し、
前記直階段部用力桁と前記廻り階段部用力桁との連結部分は、前記複数の廻り階段部用踏板のうち最上段に位置する廻り階段部用踏板の下方であって当該廻り階段部用踏板よりも１つ下の廻り階段部用踏板寄りとなる位置に配されていることを特徴とする請求項２に記載の階段構造。
【請求項４】
前記直階段部用力桁の下端部と前記廻り階段部用力桁における前記直階段部側の端部とが連結されていることを特徴とする請求項１乃至請求項３のいずれか１つに記載の階段構造。
【請求項５】
前記廻り階段部用力桁は、前記直階段部用力桁と前記廻り階段部用力桁との連結部分よりも前記直階段部側に延出していないことを特徴とする請求項４に記載の階段構造。
【請求項６】
前記踏板支持プレートは直階段用踏板支持プレートであり、
前記廻り階段部は、前記廻り階段部用力桁に固定され、前記複数の廻り階段部用踏板のうち一段目の廻り階段部用踏板以外の廻り階段部用踏板を支持する廻り階段部用踏板支持プレートを有し、
前記廻り階段部用踏板支持プレートは、前記上階階段の幅方向にて前記直階段部用力桁と重なっていることを特徴とする請求項１乃至請求項５のいずれか１つに記載の階段構造。
【請求項７】
前記廻り階段部用力桁に対する前記廻り階段部用踏板支持プレートの取付箇所は、前記廻り階段部用力桁と前記直階段部用力桁との連結部分に対して前記上階階段の幅方向における中央側となる位置に配されていることを特徴とする請求項６に記載の階段構造。
【請求項８】
前記廻り階段部用力桁は、前記廻り階段部にて当該廻り階段の廻り方向における外側部分に沿うように配設されており、
前記直階段部は、前記直階段部用力桁として当該直階段部における幅方向の一端側に第１力桁を有するとともに、他端側に第２力桁を有し、そのうち前記第１力桁が前記廻り階段部用力桁と同じ側に設けられており、
前記第１力桁は、前記第２力桁よりも前記直階段部の昇降方向における下側へ延設されていることを特徴とする請求項１乃至請求項７のいずれか１つに記載の階段構造。
【請求項９】
前記踏板支持プレートは直階段部用踏板支持プレートであり、
前記廻り階段部は、前記廻り階段部用力桁に固定され、前記複数の廻り階段部用踏板のうち一段目の廻り階段部用踏板以外の廻り階段部用踏板を支持する廻り階段部用踏板支持プレートを有し、
前記第２力桁の下側の端部と前記第１力桁の中間部分とを連結する連結部材を備え、
前記複数の廻り階段部用踏板のうち最上段に位置する廻り階段部用踏板は前記廻り階段部用踏板支持プレート及び前記連結部材によって支持されていることを特徴とする請求項８に記載の階段構造。
【発明の詳細な説明】
【技術分野】
【０００１】
本発明は、階段構造に関する。
【背景技術】
【０００２】
住宅等の建物においては、建物の一階部分と二階部分とを昇降するための下階階段と、建物の二階部分と三階部分とを昇降するための上階階段とが平行且つ縦並びとなるように配設されているものがある（例えば特許文献１参照）。この種の階段においては各階段を直階段部と直階段部の下側に連なる廻り階段部とで構成することにより、階段の占有領域の拡がりを抑え居住空間の圧迫を好適に軽減できる。
【先行技術文献】
【特許文献】
【０００３】
【特許文献１】特開２００６−３０７５６５号公報
【発明の概要】
【発明が解決しようとする課題】
【０００４】
上述の如く階段を直階段部及び廻り階段部に分けて構成する上では、直階段部用の斜め力桁と廻り階段部用の水平力桁とを連結することにより階段全体での強度向上が期待できる。しかしながら、このような構成では、利便性向上等の観点から廻り階段部の段数を多くすることで、以下の事象が発生し得る。すなわち、上階階段の水平力桁が直階段部と廻り階段部との境界に向けて延びることにより、斜め力桁に対して水平力桁が下階階段の昇降空間側へ張り出しやすくなる。このような水平力桁の張り出しによって昇降空間が局所的に狭くなることは、下階階段使用時に頭上に圧迫感を感じる要因になると懸念される。このように、連層式の階段においては、昇降空間における圧迫感を軽減する上でその構造に未だ改善の余地がある。
【０００５】
本発明は、上記事情に鑑みてなされたものであり、昇降空間における圧迫感を軽減することを主たる目的とする。
【課題を解決するための手段】
【０００６】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００７】
手段１．多層階の建物（建物１０）において、上下に隣り合う上階側及び下階側に設けられた上階側の上階階段（上階階段５２）と下階側の下階階段（下階階段５１）とを有し、それら上階階段及び下階階段が上下に重なる位置に配置された連層式の階段（連層階段５０）に適用される階段構造であって、
前記上階階段は、直線状に延びる直階段部（直階段部６１Ｕ）と当該直階段部の下側に連なる廻り階段部（廻り階段部７１Ｕ）とを有してなり、
前記廻り階段部は、水平方向に延び且つ複数の廻り階段部用踏板（踏板７３Ｕ）のうち少なくとも一段目の廻り階段部用踏板を支持する廻り階段部用力桁（水平力桁７２Ｕ）を有し、
前記直階段部は、
斜め方向に延びる直階段部用力桁（斜め力桁６３Ｕ）と、
前記直階段部用力桁に固定され、直階段部用踏板（踏板６４Ｕ）を支持する踏板支持プレート（支持フレーム６６Ｕ）と
を有し、
前記直階段部用力桁は、前記直階段部における最下段に位置する直階段部用踏板よりも下段側に延設されており、
前記直階段部用力桁と前記廻り階段部用力桁とが連結されていることを特徴とする階段構造。
【０００８】
上階階段を直階段部及び廻り階段部の複数のブロックに分けて構成することは、例えば施工現場における作業効率の向上等を図る上で有利である。そして、直階段部の力桁と廻り階段部の力桁とを連結することにより、階段をブロックで分けた場合の強度面の懸念を好適に解消できる。但し、斜め方向に延びる直階段部用力桁と水平方向に延びる廻り階段部用力桁とを単に両ブロックの境界（境界ＢＬ１）付近で連結させようとした場合には、直階段部用力桁と廻り階段用力桁との間に上下方向でのギャップが生じる。このようなギャップについては連結プレート等の中間部材を介在させることで解消できるものの、両力桁の連結部分が下階階段の昇降空間側へ張り出しやすくなると想定される。この点、本手段に示すように、直階段部用力桁を直階段部の最下段から延設させた上で当該直階段部用力桁と廻り階段部用力桁とを連結する構成とすれば、連結部分を上記境界から下段側へ極力遠ざけることができる。これにより、上記昇降空間側への張り出しを緩和できる。これは、昇降空間における圧迫感を軽減する上で好ましい。
【０００９】
手段２．前記直階段部用力桁は、当該直階段部用力桁の下端部（端部６９Ｕ）が前記一段目の廻り階段部用踏板よりも下側に延設されており、前記直階段部用力桁と前記廻り階段部用力桁との連結部分が前記一段目の廻り階段部用踏板よりも下側に位置していることを特徴とする手段１に記載の階段構造。
【００１０】
手段２に示すように、直階段部用力桁の端部を一段目の廻り階段部用踏板よりも下側に延設させた上で、当該踏板よりも下側にて両力桁を連結させることにより、手段１に示した効果を好適に発揮させることができる。
【００１１】
手段３．前記踏板支持プレートは直階段用踏板支持プレートであり、
前記廻り階段部は、前記廻り階段部用力桁に固定され、前記複数の廻り階段部用踏板のうち一段目の廻り階段部用踏板以外の廻り階段部用踏板を支持する廻り階段部用踏板支持プレート（支持フレーム７４Ｕ）を有し、
前記直階段部用力桁と前記廻り階段部用力桁との連結部分は、前記複数の廻り階段部用踏板のうち最上段に位置する廻り階段部用踏板の下方であって当該廻り階段部用踏板よりも１つ下の廻り階段部用踏板寄りとなる位置に配されていることを特徴とする手段２に記載の階段構造。
【００１２】
本手段に示すように、最上段の廻り階段部用踏板の下方に連結部分を配することで、廻り階段部用踏板支持プレートを縦に通すことができる。これにより、階段昇降に伴い踏板に加わった力をストレートに廻り階段部用力桁（水平力桁）に伝えることができ、支持強度の向上に寄与できる。ここで、連結部分が最上段の廻り階段部用踏板の下方であって且つ下段寄りに配設される場合には、廻り階段部用踏板支持プレートの固定部分の確保が難しくなる可能性がある。この点、上述の如く力の伝達経路をストレートとして階段部用踏板支持プレートの小型化を促進できるため、連結部分と階段部用踏板支持プレートとを好適に共存させることができる。
【００１３】
なお、本手段に示す構成を「前記踏板支持プレートは直階段用踏板支持プレートであり、前記廻り階段部は、前記廻り階段部用力桁に固定され、前記複数の廻り階段部用踏板のうち一段目の廻り階段部用踏板以外の廻り階段部用踏板を支持する廻り階段部用踏板支持プレート（支持フレーム７４Ｕ）を有し、前記直階段部用力桁と前記廻り階段部用力桁との連結部分は、前記複数の廻り階段部用踏板のうち最上段に位置する廻り階段部用踏板の下方であって且つ前記直階段部における最下段に位置する直階段部用踏板と前記廻り階段部における最上段から１つ下の廻り階段部用踏板とのうち当該廻り階段部用踏板寄りとなる位置に配されていることを特徴とする手段２に記載の階段構造。」とすることも可能である。
【００１４】
手段４．前記直階段部用力桁の下端部（端部６９Ｕ）と前記廻り階段部用力桁における前記直階段部側（上段側）の端部（端部７９Ｕ）とが連結されていることを特徴とする手段１乃至手段３のいずれか１つに記載の階段構造。
【００１５】
手段４によれば、直階段部用力桁及び廻り階段部用力桁の端部同士を連結する構成とし、連結部分を越えた力桁の延出を抑えることにより、手段１に示した昇降空間側への力桁の張り出しを好適に抑制できる。
【００１６】
手段５．前記廻り階段部用力桁は、前記直階段部用力桁と前記廻り階段部用力桁との連結部分よりも前記直階段部側に延出していないことを特徴とする手段４に記載の階段構造。
【００１７】
直階段部用力桁の端部と廻り階段部用力桁の端部とを連結し、当該連結部分からの上段側への廻り階段部用力桁の延出を回避することにより、手段１に示した昇降空間側への廻り階段部用力桁の張り出しを好適に抑制できる。
【００１８】
なお、本手段に示す構成を「前記廻り階段部用力桁は、前記直階段部用力桁及び当該直階段部用力桁の延長線を越えて前記直階段部側へ張り出さないように形成されていることを特徴とする手段１乃至手段３のいずれか１つに記載の階段構造。」とすることも可能である。
【００１９】
手段６．前記踏板支持プレートは直階段用踏板支持プレートであり、
前記廻り階段部は、前記廻り階段部用力桁に固定され、前記複数の廻り階段部用踏板のうち一段目の廻り階段部用踏板以外の廻り階段部用踏板を支持する廻り階段部用踏板支持プレート（支持フレーム７４Ｕ）を有し、
前記廻り階段部用踏板支持プレートは、前記上階階段の幅方向にて前記直階段部用力桁と重なっていることを特徴とする手段１乃至手段５のいずれか１つに記載の階段構造。
【００２０】
手段６に示すように、上階階段の幅方向にて廻り階段部用踏板支持プレートと直階段部用力桁とが重なる構成（オフセット配置）とすれば、限られた領域にて最上段の廻り階段部用踏板に対応する廻り階段部用踏板支持プレートと直階段部用力桁とを共存させつつも、支持プレートによる支持強度の確保と昇降空間への張り出し抑制とを好適に実現できる。
【００２１】
手段７．前記廻り階段部用力桁に対する前記廻り階段部用踏板支持プレートの取付箇所は、前記廻り階段部用力桁と前記直階段部用力桁との連結部分に対して前記上階階段の幅方向における中央側となる位置に配されていることを特徴とする手段６に記載の階段構造。
【００２２】
手段６に示したオフセット配置とする場合には、廻り階段部用力桁に対する廻り階段部用踏板支持プレートの取付箇所を廻り階段部用力桁と直階段部用力桁との連結部分に対して上階階段の幅方向における中央側となる位置に設定することにより、昇降空間への張り出しを抑制しつつも支持プレートによる踏板の支持強度を好適に向上させることができる。
【００２３】
手段８．前記廻り階段部用力桁は、前記廻り階段部にて当該廻り階段の廻り方向における外側部分に沿うように配設されており、
前記直階段部は、前記直階段部用力桁として当該直階段部における幅方向の一端側に第１力桁（力桁６３Ｕ）を有するとともに、他端側に第２力桁（力桁６２Ｕ）を有し、そのうち前記第１力桁が前記廻り階段部用力桁と同じ側に設けられており、
前記第１力桁は、前記第２力桁よりも前記直階段部の昇降方向における下側へ延設されていることを特徴とする手段１乃至手段７のいずれか１つに記載の階段構造。
【００２４】
手段８に示すように第１力桁及び第２力桁を併用すれば、直階段部における踏板の支持強度を好適に向上させることができる。ここで、廻り方向の内側と外側とでは、外側の方が段差の変化が緩やかとなる。そこで、外側に設けられた第１力桁を延出させて廻り階段部用力桁と連結する構成とすれば、手段１に示した連結を簡易に実現できる。
【００２５】
手段９．前記踏板支持プレートは直階段部用踏板支持プレートであり、
前記廻り階段部は、前記廻り階段部用力桁に固定され、前記複数の廻り階段部用踏板のうち一段目の廻り階段部用踏板以外の廻り階段部用踏板を支持する廻り階段部用踏板支持プレート（支持フレーム７４Ｕ）を有し、
前記第２力桁の下側の端部と前記第１力桁の中間部分とを連結する連結部材を備え、
前記複数の廻り階段部用踏板のうち最上段に位置する廻り階段部用踏板は前記廻り階段部用踏板支持プレート及び前記連結部材によって支持されていることを特徴とする手段８に記載の階段構造。
【００２６】
直階段部の両側部に配設された直階段部用力桁（第１力桁、第２力桁）を連結部材によって連結することで直階段における踏板の支持強度を向上させることができる。この連結部材によって最上段に位置する廻り階段部用踏板を支持する構成とすれば、当該踏板の支持強度を向上させることができ、手段８に示した廻り階段部用力桁の配置を好適に促進できる。
【図面の簡単な説明】
【００２７】
【図１】一実施の形態における建物の概略図。
【図２】建物ユニットの構成を示す斜視図。
【図３】連層階段の平面図。
【図４】図３のＡ−Ａ線部分断面図。
【図５】図３のＢ−Ｂ線部分断面図。
【図６】下階階段における直階段部及び廻り階段部の連結部分を示す部分断面図。
【図７】上階階段における直階段部及び廻り階段部の連結部分を示す部分断面図。
【発明を実施するための形態】
【００２８】
以下、本発明を具体化した一実施の形態について図１〜図３を参照しつつ説明する。本実施の形態では、本発明の階段構造を三階建てユニット式建物において具体化している。図１は建物１０の概略図、図２は建物ユニット３０の構成を示す斜視図、図３は連層階段５０の平面図である。
【００２９】
図１に示すように、建物１０は基礎上に設けられた三階建ての建物本体１１と屋根とを有している。建物本体１１の一階部分２１、二階部分２２、三階部分２３については、いずれも複数の建物ユニット３０が組み合わされることで構築されている。建物ユニット３０は、四隅に配置された柱３１と、柱３１の上端部（上仕口）に連結された天井大梁３２と、柱３１の下端部（下仕口）に連結された床大梁３３とを有しており、これら柱３１、天井大梁３２、床大梁３３により直方体状の骨格（ユニット躯体）が形成されている（図２参照）。建物ユニット３０の長辺部（桁面）を構成する一対の天井大梁３２の間には所定間隔で複数の天井小梁３４が架け渡されており、それら天井小梁３４によって天井面材３６が支持されている。また、建物ユニット３０の長辺部を構成する一対の床大梁３３の間には所定間隔で複数の床小梁３５が架け渡されており、それら床小梁３５によって床面材３７が支持されている。
【００３０】
図１の説明に戻り、建物１０には、上下に積層された３つの建物ユニット３０に跨るようにして、詳しくは一階部分２１用の建物ユニット３０Ａ、二階部分２２用の建物ユニット３０Ｂ、三階部分２３用の建物ユニット３０Ｃに跨るようにして階段空間１５が形成されている。階段空間１５は、当該階段空間１５を挟んで相対向する一対の壁部１７，１８によって区画形成されている（図３参照）。居室空間１６との仕切りとして機能している壁部１７には開口１９が形成されており、これら開口１９を通じて階段空間１５への出入が可能となっている。
【００３１】
階段空間１５には、一階部分２１及び二階部分２２を連絡する下階階段５１と、二階部分２２及び三階部分２３を連絡する上階階段５２とが設けられている。下階階段５１及び上階階段５２は、全長及び向きが同一となっており、縦並び且つ互いに平行となるようにして配設されている。このため、一階部分２１から三階部分２３へ移動する場合には下階階段５１→居室空間１６（二階部分２２）→上階階段５２を通過する必要があり、三階部分２３から一階部分２１へ移動する場合には上階階段５２→居室空間１６（二階部分２２）→下階階段５１を通過する必要がある。下階階段５１及び上階階段５２の配置を揃えることで、階段昇降時の導線を短くしたり居住空間の圧迫を抑制したりする上で有利である。
【００３２】
上述した連層式の階段（以下、連層階段５０と称する。）においては下階階段５１及び上階階段５２の基本構成が大部分で共通化されている。以下、図３〜図５を参照して両階段５１，５２の基本構成について説明し、その後、両階段の相違点に係る構成について個別に説明する。図４は連層階段５０の部分断面図（図３のＡ−Ａ線部分断面図）、図５は連層階段５０の部分断面図（図３のＢ−Ｂ線部分断面図）である。なお、図５においては便宜上一部の構成の図示を省略又は簡素化している。
【００３３】
図３に示すように、下階階段５１及び上階階段５２は、昇降方向が直線的に延びている直階段部６１と、当該直階段部６１の上側及び下側に接続され昇降方向を平面視にて９０度変更する廻り階段部７１，８１との３つのブロック（ユニット）に分かれている。これら３つのブロックを施工現場にて各々一体化することで下階階段５１及び上階階段５２が構築される。
【００３４】
直階段部６１は、当該直階段部６１の幅方向における各縁部（各壁部１７，１８）に沿うようにして斜め方向に延びる一組の力桁６２，６３と、それら力桁６２，６３に架け渡すようにして配設された複数の踏板６４とを有している。図４に示すように、力桁６２,６３は昇降方向と交差する断面が四角形をなす角形鋼管よりなり、側面部が相対向するようにして同じ高さ位置に並べて配置されている。各力桁６２，６３にて相対向していない側の側面部には上下に延びる支持フレーム６５，６６が固定されている。
【００３５】
両支持フレーム６５，６６の上端部は、力桁６２，６３の上面部よりも上側に突出しており、それら上端部に架け渡すようにして踏板６４用の下地フレーム６７が配設されている。下地フレーム６７が支持フレーム６５，６６に固定されることで、踏板６４が力桁６２，６３によって支持された状態となっている。
【００３６】
なお、各力桁６２，６３と支持フレーム６５，６６との位置関係を内外逆とし、力桁６２，６３にて相対向する側の側面部に支持フレーム６５，６６を固定してもよい。
【００３７】
踏板６４の間には、踏板６４間の隙を覆うようにして蹴込み板６８が配設されている。蹴込み板６８は、上側の踏板６４の下面に形成された凹部に当該蹴込み板６８の上端部が挿入された状態で下地フレーム６７に固定されている。これら蹴込み板６８によって下地フレーム６７や支持フレーム６５，６６等の露出が抑えられている。
【００３８】
ここで、図３及び図６（ａ）を参照して、廻り階段部７１，８１について説明する。図６（ａ）は廻り階段部７１の部分断面図（図３のＣ−Ｃ線部分断面図）である。
【００３９】
図３に示すように、下側の廻り階段部７１は、当該廻り階段部７１の廻り方向における外側に位置する壁部１８に沿うように配設された（平面視にて略Ｌ字状をなす）力桁７２と、当該力桁７２によって支持される複数（本実施の形態においては３つ）の踏板７３とを有している。本実施の形態に示す力桁７２については水平方向に延びており、一段目の踏板７３については力桁７２に直接固定されているのに対して、二段目及び三段目の踏板７３は支持フレーム７４を介して力桁７２に固定されている。
【００４０】
具体的には、力桁７２は直階段部６１の力桁６３と同様に角形鋼管よりなり、廻り方向における内側を向く側面部に上下に延びる支持フレーム７４が固定されている。支持フレーム７４は、力桁７２の上面部から上方に突出しており、この突出部分に載るようにして踏板７３用の下地フレーム７５が配設されている。下地フレーム７５が支持フレーム７４に固定されることで、踏板７３が力桁７２によって支持された状態となっている。
【００４１】
上側の廻り階段部８１については、基本構成が下側の廻り階段部７１と同様となっている。詳しくは、上側の廻り階段部８１は、当該廻り階段部８１の廻り方向における外側に位置する壁部１８に沿うように配設された（平面視にて略Ｌ字状をなす）力桁８２と、当該力桁８２によって支持される複数の踏板８３とを有している。本実施の形態に示す力桁８２については水平方向に延びており、一段目の踏板８３については力桁８２に直接固定されているのに対して、二段目及び三段目の踏板８３は支持フレーム８４を介して力桁８２に固定されている。
【００４２】
力桁８２は、力桁７２と同様に角形鋼管よりなり、廻り方向における内側を向く側面部に上下に延びる支持フレーム８４が固定されている。支持フレーム８４は、力桁８２の上面部から上方に突出しており、この突出部分に載るようにして踏板８３用の下地フレーム８５が配設されている。下地フレーム８５が支持フレーム８４に固定されることで、踏板８３が力桁８２によって支持された状態となっている。
【００４３】
なお、下階階段５１及び上階階段５２は、直階段部６１側の最下段に位置する踏板６４と廻り階段部７１側の最上段に位置する踏板７３との間に配設された蹴込み板６８を基準に分割されており、当該蹴込み板６８の配設位置が直階段部６１と廻り階段部７１との境界（境界ＢＬ１）となっている。
【００４４】
本実施の形態においては、以上詳述した直階段部６１及び廻り階段部７１，８１の連結構造が下階階段５１及び上階階段５２にて相違している。先ず、図５及び図６を参照して、下階階段５１における連結構造について説明する。なお、以下の説明においては、直階段部６１側の力桁６２，６３を「斜め力桁６２，６３」、廻り階段部７１，８１側の力桁７２，８２を「水平力桁７２，８２」と称する。また、下階階段５１に属する各種構成に「Ｌ」、上階階段５２に属する各種構成に「Ｕ」を付して区別する。
【００４５】
下階階段５１を構成する直階段部６１Ｌと廻り階段部７１Ｌ，８１Ｌとは、直階段部６１Ｌの斜め力桁６３Ｌと廻り階段部７１Ｌ，８１Ｌの水平力桁７２Ｌ，８２Ｌとが連結プレート５８Ｌ，５９Ｌを介して連結されている。具体的には、図６に示すように、斜め力桁６３Ｌの下段側の端部６９Ｌと水平力桁７２Ｌの上段側の端部７９Ｌとはともに両ブロックの境界ＢＬ１上に位置しているものの高さ位置が上下にずれている。詳しくは水平力桁７２Ｌの端部７９Ｌの上方に斜め力桁６３Ｌの端部６９Ｌが位置している。これらの端部６９Ｌ，７９Ｌを繋ぐようにして連結プレート５８Ｌが配設されており、各端部６９Ｌ，７９Ｌがボルト・ナット等の締結具を用いて連結プレート５８Ｌに固定されることで斜め力桁６３Ｌと水平力桁７２Ｌとが連結されている。これにより、直階段部６１Ｌと廻り階段部７１Ｌとが一体化されている。
【００４６】
図５においては図示を簡略化しているが、直階段部６１Ｌと上側の廻り階段部８１Ｌとの連結構造についても同様である。すなわち、斜め力桁６３Ｌの上段側の端部及び水平力桁７２Ｌの下段側の端部とはともに両ブロックの境界上に位置しているものの高さ位置が上下にずれており、これらの端部を繋ぐようにして配設された連結プレート５９Ｌを介して斜め力桁６３Ｌと水平力桁７２Ｌとが連結されている。これにより、直階段部６１Ｌと廻り階段部８１Ｌとが一体化されている。
【００４７】
水平力桁７２Ｌ，８２Ｌは上述した建物ユニット３０（例えば床小梁３５等）に固定されており、斜め力桁６３Ｌと両水平力桁７２，８２とを連結することで、下階階段５１が建物ユニット３０に設置された状態となっている。因みに、この設置状態においては、直階段部６１Ｌの斜め力桁６２Ｌについても建物ユニット３０（例えば間柱）に固定されている。
【００４８】
ここで、例えば下階階段５１における直階段部６１Ｌと下側の廻り階段部７１Ｌとの連結構造をそのまま上階階段５２に適用した場合を想定すると、下階階段用の昇降空間側へ連結部分が張り出すこととなる（図６参照）。このため、昇降空間を極力大きく確保すべく階段下天井用の面材を直階段部６１Ｕの斜め力桁６３Ｕ（詳しくはその下面部）に近接するようにして配設しようとした場合には、上記連結部分付近にて面材に凸部等が発生し得る。このような凸部の存在は、昇降中に圧迫感を感じる要因になり得る。本実施の形態に示す上階階段５２においては、上階階段５２における直階段部６１Ｕと上側の廻り階段部８１Ｕとの連結構造については下階階段５１と同様である（図５参照）一方、直階段部６１Ｕと下側の廻り階段部７１Ｕとの連結構造については上記不都合を解消する工夫がなされていることを特徴の１つとしている。以下、図７を参照して直階段部６１Ｕと下側の廻り階段部７１Ｕとの連結構造について説明する。
【００４９】
下階階段５１においては２つの斜め力桁６２Ｌ，６３Ｌの長さが同一であるのに対して、上階階段５２においては２つの斜め力桁６２Ｕ，６３Ｕの長さが相違している。具体的には、廻り階段部７１Ｕの水平力桁７２Ｕに連結される斜め力桁６３Ｌについては、他方の斜め力桁６２Ｌよりも長くなっており、廻り階段部７１Ｕとの境界ＢＬ１を跨いで当該廻り階段部７１Ｕ側へ延出している。詳しくは、この延出分だけ斜め力桁６３Ｌの方が長くなっており、力桁６３Ｕの端部６９Ｕが下側の廻り階段部７１Ｕにおける三段目の踏板７３Ｕの下方に位置するように延出している。水平力桁７２Ｕの上段側の端部７９Ｕについても当該三段目の踏板７３Ｕの下方に位置しており、当該踏板７３Ｕの下方にて斜め力桁６３Ｕ及び水平力桁７２Ｕが直接連結されている。
【００５０】
具体的には、水平力桁７２Ｕの端部７９Ｕ（詳しくは上面部）に切欠きが形成されており、この切欠きに斜め力桁６３Ｕの端部６９Ｕが挿入されている。このようにして重ね合わされた端部６９Ｕ，７９Ｕ同士をボルト・ナット等の締結具によって締結することにより両力桁６３Ｕ，７２Ｕが互いに連結されている。このような連結構造として、２つの力桁６３Ｕ，７２Ｕを一本化すれば、上階階段５２Ｕの強度を好適に高めることができる。
【００５１】
なお、両力桁６３Ｕ，７２Ｕを直接連結するための具体的構成については任意である。例えば、溶接によって両力桁６３Ｕ，７２Ｕを連結することも可能である。また、廻り階段部７１Ｕの水平力桁７２Ｕに挿入用の切欠きを形成したが、直階段部６１Ｕの斜め力桁６３Ｕに切欠きを設け、当該切欠きに水平力桁７２Ｕが挿入される構成とすることも可能である。
【００５２】
以上詳述した実施の形態によれば、以下の優れた効果を奏する。
【００５３】
下階階段５１及び上階階段５２を直階段部６１と廻り階段部７１とに分けて構成し、両者を施工現場で組立可能とすることで、施工現場における作業効率の向上に寄与できる。そして、直階段部６１Ｕの斜め力桁６３Ｕと廻り階段部７１Ｕの水平力桁７２Ｕとを連結することにより、上階階段５２をブロックで分けた場合の強度面の懸念を好適に解消できる。但し、斜め力桁６３Ｕと水平力桁７２Ｕとを単に両ブロックの境界ＢＬ１付近で連結させようとした場合には、斜め力桁と水平力桁との間に上下方向でのギャップが生じる（図４に示した下階階段５１の連結構造参照）。このようなギャップについては連結プレート等の中間部材を介在させることで解消できるものの、両力桁の連結部分が下階階段５１の昇降空間側へ張り出しやすくなると想定される。この点、本実施の形態に示したように、斜め力桁６３Ｕを直階段部６１Ｕの最下段から延設させた上で当該斜め力桁６３Ｕと水平力桁７２Ｕとを直接連結する構成とすれば、連結部分を上記境界ＢＬ１から下段側へ極力遠ざけることができる。これにより、上記昇降空間側への張り出しを緩和できる。これは、昇降空間における圧迫感を軽減する上で好ましい。
【００５４】
また、最上段に位置する廻り階段部７１Ｕ用の踏板７３Ｕの下方に連結部分を配することで、廻り階段部７１Ｕ用の支持フレーム７４Ｕを縦に通すことができる。これにより、階段昇降に伴い踏板に加わった力をストレートに水平力桁７２Ｕに伝えることができ、支持強度の向上に寄与できる。ここで、連結部分が最上段の踏板７３Ｕの下方であって且つ下段寄りに配設される場合には、水平力桁７２Ｕにおける支持フレーム７４Ｕの固定部分の確保が難しくなる可能性がある。この点、上述の如く力の伝達経路をストレートとして支持フレーム７４Ｕの小型化を促進できるため、連結構造と支持フレーム７４Ｕとを好適に共存させることができる。
【００５５】
直階段部６１Ｕ用の力桁として、斜め力桁６２Ｕ，６３Ｕを併用すれば、直階段部６１Ｕにおける踏板６４Ｕの支持強度を好適に向上させることができる。ここで、廻り方向の内側と外側とでは、外側の方が段差の変化が緩やかとなる。そこで、外側に設けられた斜め力桁６３Ｕを延出させて廻り階段部用の水平力桁７２Ｕと連結する構成とすれば、接続部分の下段側（廻り階段部７１Ｕ側）への移設を簡易に実現できる。
【００５６】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【００５７】
・上記実施の形態に示した上階階段５２においては、直階段部６１Ｕの斜め力桁６３Ｕと廻り階段部７１Ｕの水平力桁７２Ｕとを廻り階段部７１Ｕの最上段に位置する踏板７３Ｕの下方にて連結させた。この連結部分については、最上段の踏板７３Ｕにてその１つ下の踏板７３Ｕ寄りとなるように大きく偏倚させていたが、これに限定されるものではない。少なくとも最上段に位置する踏板７３Ｕの下方に位置しているのであれば足りる。但し、下階階段５１の昇降空間への張り出しを軽減する上では、直階段部６１Ｕの最下段の踏板６４Ｕ側及び上記１つ下の踏板７３Ｕのうち後者寄りとすることが好ましい。
【００５８】
・斜め力桁６２Ｕの中間部分と斜め力桁６３Ｕの下段側の端部とを直階段部６１Ｕの幅方向に延びる連結部材（例えば連結プレート）を用いて連結することで直階段部６１Ｕを補強してもよい。このような構成においては、この連結プレートによって廻り階段部７１Ｕの最上段に位置する踏板７３等を支持することにより、廻り階段部７１Ｕにおける踏板７３の支持をサポートすることにより、直階段部６１Ｕと廻り階段部７１Ｕとの境界付近にて踏板の支持強度を好適に高めることができる。
【００５９】
・上記実施の形態に示した直階段部６１においては複数の斜め力桁６２，６２を併用したが、斜め力桁の数については任意である。例えば、斜め力桁の数を１つとする場合には当該斜め力桁を直階段部６１の幅方向における中央に配設することが好ましい。
【００６０】
・上記実施の形態では、直階段部６１Ｕの斜め力桁６３Ｕの端部６９Ｕと廻り階段部７１Ｕの水平力桁７２Ｕの端部７９Ｕとを直接連結させたが、斜め力桁６３Ｕの中間部分と水平力桁７２Ｕの端部７９Ｕとを直接連結させる構成とすることも可能である。
【００６１】
・上記実施の形態では、水平力桁７２Ｕの上面部に形成された切欠きに斜め力桁６３Ｕが挿入された状態にて両力桁６３Ｕ，７２Ｕが連結される構成としたが、これに限定されるものではない。例えば、斜め力桁６３Ｕの端部６９Ｕと水平力桁７２Ｕの端部７９Ｕとが上階階段５２の幅方向に並ぶ構成とし、斜め力桁６３Ｕの一方の側面部と水平力桁７２Ｕの一方の側面部とを当接（面接触）させた状態で両力桁６３Ｕ，７２Ｕが連結される構成としてもよい。この場合、水平力桁７２Ｕの他方の側面部を支持フレーム７４Ｕの取付面とし、水平力桁７２Ｕの端部７９Ｕを挟んで斜め力桁６３Ｕの端部６９Ｕと支持フレーム７４Ｕとを対峙させることにより、実状上好ましい構成を実現できる。特に、上階階段５２の幅方向における中央側に支持フレーム７４Ｕを配設し、外側に斜め力桁６３Ｕの端部６９Ｕを配設する並びとすることで、廻り階段部７１Ｕにおける踏板７３の支持強度を好適に向上させることができる。
【００６２】
・上記実施の形態では、斜め力桁６２が壁部１７の外部に配設されている場合について例示したが、斜め力桁６２が壁部１７の内部に配設されている構成を否定するものではない。このような構成においては、開口１９に沿って延びる水平力桁を追加し、当該水平力桁と斜め力桁６２とを連結させることで階段の強度を更に高めることができる。
【００６３】
・上記実施の形態に示した階段構造については、三階建ての建物に限定されず、四階建て又はそれ以上の建物に適用することも可能である。例えば四階建ての建物においては、建物二階部分と三階部分とを連絡する階段について斜め力桁と水平力桁とを直接連結し、建物三階部分と四階部分とを連絡する階段について斜め力桁と水平力桁とを直接連結する構成としてもよい。
【００６４】
・上記実施の形態では、廻り階段部７１Ｕの最上段に位置する踏板７３Ｕの下方にて斜め力桁６３Ｕと水平力桁７２Ｕとを連結させる構成としたが、必ずしもこれに限定されるものではない。少なくとも直階段部６１と廻り階段部７１Ｕとの境界ＢＬ１に対して連結部分が下段側に位置しているのであれば足りる。
【００６５】
・上階階段５２における直階段部６１Ｕと廻り階段部７１Ｕとの連結構造を下階階段５１における直階段部６１Ｌと廻り階段部７１Ｌとの連結構造に適用することも可能である。
【符号の説明】
【００６６】
１０…建物、１５…階段空間、５０…連層階段、５１…下階階段、５２…上階階段、６１…直階段部、６２…「第２力桁」としての斜め力桁、６３…「第１力桁」又は「直階段部用力桁」としての斜め力桁、６４…「直階段部用踏板」としての踏板、６５，６６…「直階段部用踏板支持プレート」としての支持フレーム、７１…廻り階段部、７２…「廻り階段部用力桁」としての水平力桁、７３…「廻り階段部用踏板」としての踏板、７４…「廻り階段部用踏板支持プレート」としての支持フレーム。
【図１】
2020100984.tif 000003
【図２】
2020100984.tif 000004
【図３】
2020100984.tif 000005
【図４】
2020100984.tif 000006
【図５】
2020100984.tif 000007
【図６】
2020100984.tif 000008
【図７】
2020100984.tif 000009